(57)【要約】 【課題】  原稿用紙に付着する未定着付着物に起因する画像読取異常を防いで、高速で画像読取りが可能な原稿読取装置を提供する。【解決手段】  プラテンガラス２２０に対向する当接部材２１２が設けられ、プラテンガラス２２０よりも搬送方向上流側の上流側ローラ対２０６，２０７は、当接部材２１２の原稿当接面２１４に対して傾斜して配置される。これによって上流側ローラ対２０６，２０７を通過した原稿用紙は、プラテンガラス２２０に接触することなく、原稿当接面２１４に当接した状態で移動する。これによってプラテンガラス２２０が、原稿用紙２０３に付着する未乾燥のインクや修正液などによって汚染されることがなく、画像読取り異常を防いで、精度よく画像読みとを行うことができる。【選択図】      図１
2006115294.tif 000002
【特許請求の範囲】
【請求項１】
原稿用紙を搬送させながら、原稿用紙の画像形成面に形成される画像を読取る原稿読取装置であって、
原稿用紙を搬送する搬送手段と、
原稿用紙の搬送路に面する原稿読取面が形成され、前記原稿読取面に対向する原稿用紙の画像を読取る画像読取手段と、
原稿用紙の搬送路に面し、前記原稿読取面に対して対向して配置される原稿当接面が形成される当接部材と、
原稿用紙のうち画像形成面とは反対側の面が前記原稿当接面に摺接して、原稿用紙が搬送方向に移動するように、原稿用紙を導く導紙手段とを含むことを特徴とする原稿読取装置。
【請求項２】
前記搬送手段は、前記原稿当接面よりも搬送方向上流側に隣接して配置される上流側ローラ対を含み、
上流側ローラ対は、前記導紙手段を兼用することを特徴とする請求項１記載の原稿読取装置。
【請求項３】
前記上流側ローラ対を構成する各ローラの軸線を互いに結ぶ直線に対して垂直な平面と、前記原稿当接面との成す角度が、０度を超えて３０度以下に形成されることを特徴とする請求項２記載の原稿読取装置。
【請求項４】
前記上流側ローラ対は、前記原稿当接面寄りのローラよりも、前記原稿読取面寄りのローラのほうが、外周部の硬度が低いことを特徴とする請求項２記載の原稿読取装置。
【請求項５】
前記上流側ローラ対は、前記原稿当接面寄りのローラよりも、前記原稿読取面寄りのローラのほうが、周速度が高いことを特徴とする請求項２記載の原稿読取装置。
【請求項６】
前記搬送手段は、前記原稿当接面よりも搬送方向下流側に隣接して配置される下流側ローラ対を含み、
前記下流側ローラ対のローラ間の位置が、前記原稿当接面に沿って延びる平面上に位置することを特徴とする請求項２〜５のいずれか１つに記載の原稿読取装置。
【発明の詳細な説明】
【技術分野】
【０００１】
本発明は、原稿用紙を搬送させながら、原稿用紙の画像形成面に形成される画像を読取る原稿読取装置に関する。
【背景技術】
【０００２】
今年、複写機のデジタル化が推進され、印刷速度も８０枚／分以上の装置の開発が進んでいる。印刷速度が高速になるにつれて、原稿用紙に形成される画像を読取る原稿読取装置も高速化され、原稿用紙を搬送させながら、原稿用紙に形成される画像を読取る原稿搬送方式が採用されているものがある。
【０００３】
図７は、原稿搬送方式を採用した従来技術の原稿読取装置１０１の一部を示す断面図である。原稿読取装置１０１は、原稿用紙１０６を搬送する搬送手段１０２と、搬送される原稿用紙１０６に対向するプラテンガラス１０３と、投光部１０４と、ＣＣＤ（結合電荷素子）センサ１０５とを含む。搬送手段１０２は、原稿用紙１０６の画像形成面を、プラテンガラス１０３に摺接させながら搬送する。
【０００４】
投光部１０４は、プラテンガラス１０３に摺接した原稿用紙１０６に向かって光１０７を投光する。投光した光１０７は、プラテンガラス１０３を透過して、原稿用紙１０６に達する。そして原稿用紙に達した光１０７は、原稿用紙１０６で反射した後、ミラーやレンズなどの光学部品群１０８を介してＣＣＤセンサ１０５に入射する。ＣＣＤセンサ１０５は、入射した光１０７の特性を電気信号に変換する。ＣＣＤセンサ１０５に入射する光１０７は、原稿用紙に形成される画像に依存して変化することから、ＣＣＤセンサ１０５から出力される電気信号を得ることによって、原稿用紙１０６に形成される画像を読取ることができる。
【０００５】
図８は、他の従来の技術の原稿読取装置１１１の一部を示す断面図である。この原稿読取装置１１１は、加圧板１１２によってプラテンガラス１０３に原稿用紙１０６を押え付ける。またプラテンガラス１０３の原稿当接面１１３と、その上下流側に配置される各搬送ローラ対のニップ部１１４，１１５とが同じ高さに設定される。これによって原稿用紙１０６が原稿当接面１１３から浮き上がることを防ぐ。このような原稿読取装置１１１は、たとえば特許文献１に記載される。
【０００６】
【特許文献１】特開２００３−１７４５４０号公報
【発明の開示】
【発明が解決しようとする課題】
【０００７】
原稿搬送方式を採用する原稿読取装置は、原稿用紙の画像形成面に未定着の付着物が付着した状態で、原稿用紙を搬送する場合がある。未定着の付着物として、ボールペンおよびフェルトペンのインクなどの未乾燥原稿インク、未乾燥の修正液などがある。
【０００８】
上述した従来技術の原稿読取装置１０１，１１１では、原稿用紙１０６の画像形成面に未定着の付着物が付着していると、原稿用紙１０６がプラテンガラス１０３に当接した時に、未定着の付着物がプラテンガラス１０３に移り、プラテンガラス１０３が汚れる。プラテンガラス１０３に汚れが生じると、精度よく画像を読取ることができない。
【０００９】
具体的には、プラテンガラス１０３が汚染した状態で原稿用紙１０６を読取ると、読取った画像には、汚れに起因して黒スジまたは白スジが発生してしまう。この場合、プラテンガラス１０３の汚れを取除くまで、精度よく画像を読取ることができない。
【００１０】
本件出願人は、プラテンガラス１０３の汚れを検出すると、汚れが存在しないプラテンガラス１０３の位置を設定して、その位置で原稿用紙の画像読取りを行い、これによって画像の読取異常を防ぐ技術を特開２００３−２５９０８７号で提案している。このような技術を用いる場合、汚れが存在していないプラテンガラス１０３の位置を、画像読取位置として設定し直す必要がある。
【００１１】
画像読取り毎に、プラテンガラス１０３の汚れの有無を判断するようにすると、短時間で画像読取りを行うことができない。また画像読取手段における校正時に、プラテンガラス１０３の汚れの有無を判断すると、複数の原稿用紙１０６の画像を連続して読取る場合には、依然として読取異常が生じてしまう。さらに画像読取手段が移動可能でない場合には、適用することができない。
【００１２】
したがって本発明の目的は、原稿用紙に付着する付着物に起因する画像読取の異常を防いで、高速で画像読取りが可能な原稿読取装置を提供することである。
【課題を解決するための手段】
【００１３】
本発明は、原稿用紙を搬送させながら、原稿用紙の画像形成面に形成される画像を読取る原稿読取装置であって、
原稿用紙を搬送する搬送手段と、
原稿用紙の搬送路に面する原稿読取面が形成され、前記原稿読取面に対向する原稿用紙の画像を読取る画像読取手段と、
原稿用紙の搬送路に面し、前記原稿読取面に対して対向して配置される原稿当接面が形成される当接部材と、
原稿用紙のうち画像形成面とは反対側の面が前記原稿当接面に摺接して、原稿用紙が搬送方向に移動するように、原稿用紙を導く導紙手段とを含むことを特徴とする原稿読取装置である。
【００１４】
本発明は、前記搬送手段は、前記原稿当接面よりも搬送方向上流側に隣接して配置される上流側ローラ対を含み、
上流側ローラ対は、前記導紙手段を兼用することを特徴とする。
【００１５】
本発明は、前記上流側ローラ対を構成する各ローラの軸線を互いに結ぶ直線に対して垂直な平面と、前記原稿当接面との成す角度が、０度を超えて３０度以下に形成されることを特徴とする。
【００１６】
本発明は、前記上流側ローラ対は、前記原稿当接面寄りのローラよりも、前記原稿読取面寄りのローラのほうが、外周部の硬度が低いことを特徴とする。
【００１７】
本発明は、前記上流側ローラ対は、前記原稿当接面寄りのローラよりも、前記原稿読取面寄りのローラのほうが、周速度が高いことを特徴とする。
【００１８】
本発明は、前記搬送手段は、前記原稿当接面よりも搬送方向下流側に隣接して配置される下流側ローラ対を含み、
前記下流側ローラ対のローラ間の位置が、前記原稿当接面に沿って延びる平面上に位置することを特徴とする。
【発明の効果】
【００１９】
本発明によれば、搬送手段によって原稿用紙を搬送すると、原稿用紙の画像形成面のうちで、画像読取手段に対向する部分が順に移り変わる。これによって画像読取手段は、画像形成面に形成される画像を搬送方向に沿って読取ることができる。このように原稿用紙を搬送させながら原稿用紙に形成される画像を読取ることで、画像形成動作を高速で行うことができる。
【００２０】
また本発明では、導紙手段によって原稿用紙が導かれることで、原稿用紙は、画像形成面とは反対側の面が原稿当接面に当接した状態で画像読取手段を通過する。これによって原稿読取面に原稿用紙が触れることを防いで、原稿用紙に形成される画像を読取ることができる。
【００２１】
したがって未乾燥のインクや修正液などの未定着付着物が原稿用紙に付着する場合であっても、原稿読取面の汚染を防ぐことができ、精度よく画像読みとを行うことができる。また原稿読取面が汚染しないので、出願人が以前に提案した技術のように、画像読取位置を設定し直す必要がなく、短時間で画像読取りを行うことができる。
【００２２】
さらに原稿読取面の汚染を防ぐことで、画像読取手段のメンテナンス回数を少なくすることができる。また原稿用紙の画像形成面と反対側の面が原稿当接面に当接した状態で、画像の読取りが行われることで、原稿読取面と原稿用紙の画像形成面との間隔を一定に保つことができ、画像読取りを安定させて、画像読取り精度を向上することができる。
【００２３】
また本発明によれば、上流側ローラ対によって原稿用紙を挟持した状態で、各ローラが回転することによって、原稿用紙は、上流側ローラのローラ間を通過して原稿当接面に当接して搬送される。このように上流側ローラ対によって原稿用紙を搬送するだけで、原稿用紙を原稿当接面に確実に当接させることができる。また、原稿用紙を原稿当接面に当接させるための専用の部品を設ける必要がなく、原稿読取装置の構成を簡単にすることができる。
【００２４】
また本発明によれば、上流側ローラ対の各ローラの軸線を結ぶ直線に対して垂直な平面と、前記原稿当接面との角度が、０度を超えて３０度以下に形成される。これによって上流側ローラ対を通過した原稿用紙は、原稿当接面に対して傾斜して延び、原稿当接面に向けて進む。したがって原稿当接面に当接するように、原稿用紙を容易に導くことができる。また、ローラ対の取付位置を設定することで本発明を容易に実施可能とすることができ、従来の原稿読取装置に比べて大きく構成を変更する必要がないので、安価に原稿読取装置を構成することができる。
【００２５】
また本発明によれば、上流側ローラ対のうち、原稿当接面寄りのローラよりも、原稿読取面寄りのローラの硬度が低く形成される。これによって上流側ローラ対を通過した原稿用紙は、原稿当接面に対して傾斜して延び、原稿当接面に向けて進む。したがって原稿用紙の裏面が原稿当接面に当接するように、原稿用紙を容易に導くことができる。また、各ローラの硬度を変更することで、ローラ対の取付位置を変更することなく本発明を容易に実施可能とすることができ、従来の原稿読取装置に比べて大きく構成を変更する必要がないので、安価に原稿読取装置を構成することができる。
【００２６】
また本発明によれば、上流側ローラ対のうち、原稿当接面寄りのローラよりも、原稿読取面寄りのローラの周速度が高く設定される。これによってローラ対を通過した原稿用紙は、原稿当接面に対して傾斜して延び、原稿当接面に向けて進む。したがって原稿用紙のうちの非画像形成面が原稿当接面に当接するように、原稿用紙を容易に導くことができる。
【００２７】
また本発明によれば、原稿当接面を通過した原稿用紙は、一対の下流側ローラ間を通過して、搬送方向に搬送される。原稿用紙の搬送方向上流側と下流側とを挟持することで、原稿用紙によるブレを防ぐことができる。さらに下流側ローラ対のローラ間の位置が、原稿当接面に沿って延びる平面状に形成されることによって、下流側ローラが原稿用紙を挟持した状態であっても、原稿用紙と原稿当接面とを当接させた状態を容易に維持することができ、安定した画像読取りを行うことができる。
【発明を実施するための最良の形態】
【００２８】
図１は、本発明の実施の第１形態である原稿読取装置２０の一部を示す断面図である。原稿読取装置２０は、原稿用紙２０３を搬送させながら原稿用紙２０３に形成される画像を読取る原稿搬送方式が適用される。本実施の形態では、原稿読取装置２０は、原稿用紙２０３の両面に形成される画像を読取可能に構成される。
【００２９】
原稿読取装置２０は、原稿用紙２０３の画像形成面２０４，２０５に形成される画像を光学的に読取り、電気信号で表される画像情報に変換する画像読取手段２０１と、原稿用紙２０３を搬送する搬送手段２０２とを有する。本実施の形態では、画像読取手段２０１は、原稿用紙２０３のうち厚み方向一方となる第１画像形成面２０４に形成される画像を読取る第１画像読取手段２０１ａと、原稿用紙２０３のうち厚み方向他方となる第２画像形成面２０５に形成される画像を読取る第２画像読取手段２０１ｂとを有する。
【００３０】
搬送手段２０２は、複数のローラ対と、各ローラ対を構成する各ローラ２０６，２０７；２１７，２１８を回転駆動するためのモータと、モータの動力を各ローラに伝達する動力伝達部材とを含む。各ローラは、軸線まわりに回転可能に設けられる。各ローラの軸線は、搬送される原稿用紙２０３の厚み方向Ｚおよび搬送方向Ｘに直交する方向Ｙに延びる。各ローラは、モータから動力が与えられることによって、その軸線まわりに回転する。
【００３１】
ローラ対を構成する２つのローラ２０６，２０７；２１７，２１８は、互いに対向して配置され、互いに弾性変形した状態で当接するか、または予め定める隙間が形成される。ローラ対を構成する２つのローラは、その間となるニップ部２１６に原稿用紙２０３を挟持した状態で、各ローラが軸線まわりに回転することによって、ニップ部２１６に挟持した原稿用紙２０３を搬送方向に搬送する。
【００３２】
第１画像読取手段２０１ａは、板状に形成される透光性部材であるプラテンガラス２２０と、搬送される原稿用紙２０３へ向けて光を投光する投光部２０８と、受光した光の特性を電気信号に変換する受光部となるＣＣＤ（電荷結合素子）センサ２２３と、投光部２０８によって投光されて原稿用紙２０３で反射した光をＣＣＤセンサ２２３に導く１または複数の光学部品から成る光学部品群２００とを含む。
【００３３】
プラテンガラス２２０は、原稿用紙２０３の搬送路２１０に面する原稿読取面２１３が形成される。原稿読取面２１３は、搬送路２１０を移動する原稿用紙２０３のうち第１画像形成面２０４に対向する。また、投光部２０８、光学部品群２００およびＣＣＤセンサ２２３は、プラテンガラス２２０を挟んで、搬送路２１０と反対側に配置される。
【００３４】
投光部２０８は、光源２２１と、光源２２１によって発生した光を原稿用紙２０３に向けて照射するための照明部材２２２とを含んで構成される。照明部材２２２は、断面が略Ｕ字状に形成されて、その内部空間に光源２２１が収容される。照明部材２２２は、その内周面が光反射性を有するミラーによって実現され、開口部がプラテンガラス２２０に臨む。
【００３５】
光源２２１で発生した光２０９は、照射部材２２２の開口部から出射することでプラテンガラス２２０に向かって進む。この光２０９は、プラテンガラス２２０を透過して、搬送路２１０を移動する原稿用紙２０３の第１画像形成面２０４に達する。そして原稿用紙２０３に達した光２０９は、原稿用紙２０３の第１画像形成面２０４で反射する。この反射光２１１は、プラテンガラス２２０を透過して、１または複数の光学部品によって導かれてＣＣＤセンサ２２３に入射する。
【００３６】
原稿用紙２０３で反射した反射光２１１は、原稿用紙２０３の第１画像形成面２０４に形成される画像に依存して変化することから、ＣＣＤセンサ２２３から出力される電気信号を得ることによって、原稿用紙２０３の第１画像形成面２０４に形成される画像を読取ることができる。
【００３７】
原稿用紙２０３が移動することで、投光部２０８からの光２０９が達する位置における第１画像形成面２０４の画像部分が順に移り変わる。したがって原稿用紙２０３を搬送させながら画像を読取ると、第１画像形成面２０４に形成される画像を搬送方向に沿って順次読取ることができる。また光源２２１、プラテンガラス２２０およびＣＣＤセンサ２２３は、直交方向Ｙに延びる。これによって直交方向Ｙに延びる第１画像形成面２０４に形成される画像を読取ることができる。
【００３８】
搬送手段２０２は、プラテンガラス２２０に対応して、搬送方向上流側に隣接して配置される上流側ローラ対２０６，２０７と、搬送方向下流側に隣接して配置される下流側ローラ対２１７，２１８とを有する。これらのローラ対は、可及的にプラテンガラス２２０寄りに配置される。第１の実施形態では、ローラ対を構成する各ローラ２０６，２０７；２１７，２１８は、外周部が可撓性および弾発性を有する材料から成り、たとえばＥＰＤＭ（エチレンプロピレンゴム）などの樹脂ゴムによって実現される。また上流側ローラ対２０６，２０７と、下流側ローラ対２１７，２１８とは、その周速度が同じに設定される。
【００３９】
さらに原稿読取装置２０は、プラテンガラス２２０に対して、対向するとともに間隔をあけて配置される当接部材２１２を有する。当接部材２１２は、原稿用紙の搬送路２１０に面し、プラテンガラス２２０の原稿読取面２１３に対向する原稿当接面２１４が形成される。原稿当接面２１４は、プラテンガラス２２０の原稿読取面２１３に対して平行に延び、プラテンガラス２２０とほぼ同じ大きさに形成される。また上流側ローラ対２０６，２０７と、当接部材２１２との間には、案内部材２１５が設けられる。案内部材２１５は、上流側ローラ対２０６，２０７のニップ部２１６と原稿当接面２１４とを結ぶ直線に沿って滑らかに延びる案内面２１９を有する。
【００４０】
上流側ローラ対２０６，２０７によって搬送される原稿用紙２０３は、プラテンガラス２２０と当接部材２１２との間の搬送路２１０を移動し、プラテンガラス２２０上を通過する。そしてプラテンガラス２２０上を通過した原稿用紙２０３は、下流側ローラ対２１７，２１８のニップ部２１６に達して、下流側ローラ対２１７，２１８によって挟持された状態で搬送される。
【００４１】
上流側ローラ対２０６，２０７と当接部材２１２との位置関係は、上流側ローラ対２０６，２０７を通過した原稿用紙２０３が、搬送方向Ｘに進むにつれて原稿当接面２１４に近づくにように傾斜させるように設定される。これによって上流側ローラ対２０６，２０７を通過した原稿用紙２０３は、案内部材２１５の案内面２１９によって案内されて、第２画像形成面２０５が原稿当接面２１４に摺接して、搬送方向Ｘに移動する。
【００４２】
図２は、ローラ対２０６，２０７；２１７，２１８と当接部材２１２との位置関係を示す図である。具体的には、上流側ローラ対２０６，２０７のニップ部２１６は、原稿当接面２１４に沿って延びる平面よりも、プラテンガラス２２０側に配置される。また、上流側ローラ対を構成する各ローラ２０６，２０７の軸線２３０，２３１を互いに結ぶ直線２３２に対して垂直な平面２３３と、原稿当接面２１４との成す配置角度αが、０度を超えて３０度以下に設定される。本実施の形態では、配置角度αは、５度に設定される。
【００４３】
これによって原稿用紙２０３は、原稿当接面２１４に対して予め定める傾斜角度、たとえば５度傾斜した状態で原稿当接面２１４に当接する。したがって上流側ローラ対２０６，２０７によって搬送された原稿用紙２０３は、当接部材２１２の原稿当接面２１４に当接し、その当接状態を維持して移動する。
【００４４】
これに対して前記配置角度αが、０度である場合には、原稿用紙２０３が原稿当接面２１４に向かう力を与えることができず、原稿用紙２０３を原稿当接面２１４に当接させた状態で移動させることができない。また、前記配置角度が３０度を超える場合には、原稿用紙２０３が原稿当接面２１４に当接すると、原稿用紙２０３の先端部が折れてしまうおそれがある。したがって本実施の形態のように配置角度αを、０度を超えて３０度以下に設定することによって、原稿用紙２０３を原稿当接面２１４に良好に当接させることができる。
【００４５】
なお、配置角度αは、原稿用紙２０３と当接部材２１２の摩擦係数にもよるが１度以上でかつ７度以下であることがより好ましい。これによって原稿用紙２０３の折れ曲がりを確実に防ぐことができる。また、原稿用紙２０３を当接部材２１２に吸着させる必要がなく、原稿用紙２０３を原稿当接面２１４に確実に当接させることができる。
【００４６】
また、上流側ローラ対２０６，２０７によって、原稿用紙２０３を原稿当接面２１４に直接向かわせることによって、ガイドなどによって原稿用紙２０３を原稿当接面２１４に間接的に向かわせる場合に比べて、確実に原稿用紙２０３を原稿当接面２１４に当接させることができる。
【００４７】
さらに下流側ローラ対２１７，２１８が設けられることによって、原稿用紙２０３を２つのローラ対２１７，２１８の少なくともいずれかで挟持することができ、原稿用紙２０３の自重によって、原稿用紙２０３が原稿当接面２１４から離反することを防止することができる。さらに下流側ローラ対２１７，２１８のニップ部２１６が、原稿当接面２１４に沿って延びる平面状に配置されることによって、下流側ローラ対２１７，２１８が原稿用紙２０３を挟持する前後で、原稿用紙２０３が変形することを防ぐことができ、原稿用紙２０３の原稿当接面２１４に当接した状態を維持して、原稿用紙２０３を搬送することができる。また上流側ローラ対２０６，２０７と下流側ローラ対２１７，２１８との周速度が等しく設定されることによって、下流側ローラ対が原稿用紙２０３を挟持したときに、原稿用紙２０３が撓むことを防ぐことができる。
【００４８】
また、上流側ローラ対を構成する各ローラ２０６，２０７の軸線２３０，２３１を互いに結ぶ直線２３２に対して垂直な平面２３３と、原稿当接面２１４の交点２４０から搬送方向下流側に予め定める第１距離Ｌ１移動した位置２４１で、原稿用紙２０３の画像を読取ることが好ましい。これによって用紙の材質が異なる場合であっても、原稿用紙２０３を原稿当接面２１４に当接させることができ、精度よく画像を読取ることができる。本実施の形態では、前記第１距離Ｌ１は、５ｍｍに設定される。
【００４９】
また上流側ローラ対２０６，２０７のニップ部１６から、下流側ローラ対２１７，２１８のニップ部１６までの距離Ｌ２は、予め定める第２距離Ｌ２に設定される。また上流側ローラ対２０６，２０７のニップ部１６から、原稿読取位置２４１までの距離は、予め定める第３距離Ｌ３に設定される。原稿用紙２０３の先端部が、上流側ローラ対２０６，２０７のニップ部１６から突出して下流側ローラ対２１７，２１８のニップ部１６に達する直前の状態であっても、原稿用紙２０３の後端部が、下流側ローラ対２１７，２１８のニップ部１６を通過した状態であっても、読取位置２４１で原稿当接面２１４と原稿用紙２０３とが当接するように、第２距離Ｌ２および第３距離が設定される。具体的には、前記第２距離Ｌ２は１５０ｍｍ以下に設定され、前記第３距離Ｌ３は５ｍｍ以上１００ｍｍ以下に設定される。第２距離Ｌ２が１５０ｍｍを超えると原稿用紙２０３の自重によって、原稿当接面２１４に当接する箇所がなくなるおそれがある。また第３距離Ｌ３が５ｍｍ未満または１００ｍｍを超える場合もまた、原稿用紙２０３が原稿当接面２１４から離反してしまう。したがって第２および第２距離Ｌ２，Ｌ３が上述した範囲に設定されることによって、原稿用紙２０３を原稿当接面２１４に当接させた状態で読取ることができ、読取誤差を少なくすることができる。
【００５０】
また本実施の形態では、プラテンガラス１および当接部材２１２の搬送方向寸法Ｌ４は、３０ｍｍに設定され、原稿読取面２１３と原稿当接面２１４との間の距離Ｌ５は、０．２ｍｍ以上５ｍｍ以下に設定される。また、本実施の形態では、光学部品群２００を構成する光学部品を総合した光学系において、原稿当接面２１４を焦点面とした場合、原稿当接面２１４よりも原稿読取面２１３よりの焦点深度が、原稿読取面２１３から原稿当接面２１４までの距離以上に設定されることが好ましい。これによって任意の厚みの原稿用紙２０３が搬送される場合であっても、像がぼやけることを抑えて、確実に画像を読取ることができる。
【００５１】
第２画像読取手段２０１ｂの構成は、上述した第１画像読取手段２０１ａの構成と対応する構成を有する。第２画像読取手段２０１ｂのうち、第１画像読取手段２０１ａに対応する構成については同様の参照符号を付し、説明を省略する。第２画像読取手段２０１ｂは、第１画像読取手段２０１ａよりも搬送方向下流側に配置され、第１画像読取手段２０１ａと同様に、プラテンガラス２２０、投光部２０８、ＣＣＤセンサ２２３および光学部品群２００を有する。
【００５２】
第２画像読取手段２０１ｂにおけるプラテンガラス２２０の原稿読取面２１３は、搬送路２１０を移動する原稿用紙２０３のうち第２画像形成面２０５に対向する。また、投光部２０８、光学部品群２００およびＣＣＤセンサ２２３は、プラテンガラス２２０を挟んで、搬送路２１０と反対側に配置される。
【００５３】
また原稿読取装置２０は、第２画像読取手段２０１ｂに対応する上流側ローラ対と、下流側ローラ対とが設けられる。本実施の形態では、第１画像読取手段２０１ａの下流側ローラ対２１７，２１８が、第２画像読取手段２０１ｂの上流側ローラ対を兼用する。
【００５４】
また原稿読取装置２０は、第２画像読取手段２０１ｂに対応する、当接部材２１２および案内部材２１５を有する。これらの当接部材２１２および案内部材２１５は、第２画像読取手段２０１ｂに対して、第１画像読取手段２０１ａで説明したのと同様の位置関係を有するので、説明を省略する。
【００５５】
以上のように本実施の形態の原稿読取装置２０によれば、原稿用紙２０３は、各画像読取手段２０１ａ，２０１ｂのプラテンガラス２２０にそれぞれ触れることがない。そして、第１画像読取手段２０１ａによって第１画像形成面２０４に形成される画像を読取り、次に第２画像読取手段２０１ｂによって第２画像形成面２０５に形成される画像を読取る。
【００５６】
したがって未乾燥のインクや修正液などの未定着付着物が原稿用紙２０３に付着する場合であっても、プラテンガラス２２０に、それらの付着物が付着することを防ぐことができる。これによって画像読取り異常を防いで、精度よく画像読取を行うことができる。またプラテンガラス２２０が汚染しないので、プラテンガラス２２０の汚れに応じて、画像読取位置を設定し直す必要がなく、短時間で画像読取りを行うことができる。さらにプラテンガラス２２０を清掃する回数を少なく、または無くすることができる。
【００５７】
また本実施の形態では、第２画像形成面２０５が原稿読取面２１４に当接した状態で、第１画像形成面２０４の画像を読取り、第１画像形成面２０４が原稿読取面２１４に当接した状態で、第２画像形成面２０５の画像を読取る。このように画像読取りを行うべき面に対して、反対側の面を原稿当接面２１４に当接させた状態で、画像の読取りを行うので、原稿読取面２１３と原稿用紙２０３との間隔を一定に保つことができ、画像読取りを安定させて、画像読取り精度を向上することができる。
【００５８】
また、上流側ローラ対２０６，２０７によって、原稿用紙２０３が原稿当接面２１４に当接するように導く。これによって確実に原稿用紙２０３を原稿当接面２１４に当接させることができ、原稿用紙２０３を原稿当接面２１４に当接させるための専用の部品を設ける必要がなく、原稿読取装置２０の構成を簡単にすることができる。
【００５９】
また、ローラ対２０６，２０７；２１７，２１８と、当接部材２１２の原稿当接面２１４との相対的な位置関係が図２に示すように、設定することによってより確実に当接部材２１２の原稿当接面２１４に当接させた状態で搬送することができる。さらに上流側ローラ２０６，２０７と、当接部材２１２との間に案内部材２１５を配置することによって、原稿用紙２０３の先端を確実に当接部材２１２の原稿当接面２１４に案内することができ、読取異常を防ぐことができる。
【００６０】
図３は、本実施の形態の原稿読取装置２０を備えるデジタル複写機３２０を示す断面図である。デジタル複写機３２０は、上述した原稿読取装置２０と同様の構成を有する。デジタル複写機３２０は、原稿固定方式および原稿搬送方式によって搭載された原稿用紙の画像を読取可能に構成される。
【００６１】
デジタル複写機３２０は、原稿用紙の画像を原稿固定方式または原稿搬送方式のいずれかによって画像情報として読取る原稿読取部と、原稿読取部の下方に設けられ、原稿読取部によって読取られた画像情報を記憶する画像記憶部（図示しない）と、画像記憶部に記憶された画像情報に基づいて、備えられた記録用紙に画像を形成する画像形成部（図示しない）とを備えている。
【００６２】
原稿読取部は、原稿用紙の画像を光学的に読取る第１および第２の画像読取手段と、原稿用紙を搬送する自動原稿送り手段とを備えている。自動原稿送り手段は、原稿送り用フレーム２３と、原稿トレイ２５と、排出トレイ１１と、原稿送り部材とを有する。原稿送り用フレーム２３は、デジタル複写機本体に開閉可能に配設され、デジタル複写機本体に接する閉状態で、第１プラテンガラス２および第２プラテンガラス１を覆う。
【００６３】
原稿トレイ２５は、原稿送り用フレーム２３に配設されて、原稿送り用フレーム２３から露出する。原稿トレイ２５は、画像を読取るべき原稿用紙を載置する載置台となる。本実施の形態では、原稿トレイ２５は、第１プラテンガラス２に対向する位置に設けられる。排出トレイ１１は、原稿送り用フレーム２３に配設されて、原稿送り用フレーム２３から露出する。本実施の形態では、排出トレイ１１は、第１プラテンガラス２に対向する位置に設けられ、原稿トレイ２５よりも第１プラテンガラス２寄りに設けられる。
【００６４】
原稿送り部材は、原稿トレイ２５から原稿用紙を一枚ずつ、原稿送り用フレーム２３の内部に引込み、原稿送り用フレーム２３の内部を搬送させながら、第１の画像読取手段および第２の画像読取手段の少なくともいずれか一方によって原稿用紙に形成される画像を読取らせて、排出トレイ１１に排出する。
【００６５】
各画像読取手段には、各種の光学部材を有する光学ユニットが含まれている。第１の画像読取手段は、原稿搬送方式および原稿固定方式の両方の動作が可能に構成される。第２画像読取手段は、第１画像読取手段と協働して両面画像読取動作を行う場合に用いられる。
【００６６】
第１の画像読取手段は、デジタル複写機本体の上面に配設された、透明なガラスなどからなる第１プラテンガラス２と、第１プラテンガラス２の一端部に併設された透明なガラスなどからなる第２プラテンガラス１と、第２プラテンガラス１の下方の位置をホームポジションとし、第１プラテンガラス２の他端部を超える位置まで移動可能に配設される第１キャリッジ３と、第１キャリッジ３と連動して移動する第２キャリッジ４と、第１プラテンガラス２の下に配設されたＣＣＤセンサ５とを有する。
【００６７】
第１キャリッジ３には、光源６と、光源６からの光を原稿用紙に照射する照明部材２２２と、原稿用紙からの反射光を反射する第１反射鏡８とが配設されている。第２キャリッジ４には、第１反射鏡８から反射された光を、光路中に配設された結像レンズ９を経由してＣＣＤセンサ５に入射させるための２個の第２反射鏡１０が配設されている。これらの第１，第２キャリッジ３，４は、図示されていない制御手段から与えられる制御信号に基づいて、その移動が制御される。
【００６８】
第２の画像読取手段は、原稿送り用フレーム２３の内部に配設された、透明なガラスなどからなる第３プラテンガラス５０と、原稿送り用フレーム２３の内部に配設されたＣＣＤセンサ５１（光電変換素子）と、光源５２と、光源５２からの光を原稿用紙に照射する照明部材５３と、原稿用紙からの反射光を反射する反射鏡５４とが配設され、反射鏡５４から反射された光を、光路中に配設された結像レンズ５５を経由してＣＣＤセンサ５１に入射させる。
【００６９】
原稿送り用フレーム２３がデジタル複写機本体に接した状態で、原稿送り部材は、原稿トレイ２５に搭載される原稿用紙を第２プラテンガラス１に対向するように搬送する。次に、第２プラテンガラス１を通過した原稿用紙を第３プラテンガラス５０に対向するように搬送する。次に、第３プラテンガラス５０を通過した原稿用紙を排出トレイ１１に排出する。なお、原稿送り部材によって搬送される原稿用紙は、厚み方向一方の面が第２プラテンガラス１に対向し、厚み方向他方の面が第３プラテンガラス５０に対向する。
【００７０】
原稿送り部材は、原稿トレイ２５から原稿用紙を引き込むピックアップローラ２６と、第２プラテンガラス１に向かって原稿用紙を搬送する第１レジローラ対２７と、第３プラテンガラス５０に向かって原稿用紙を搬送する第２レジローラ対２８と、原稿用紙を排出トレイ１１に排出する排出ローラ対３２と、第２プラテンガラス１を通過した原稿用紙を第２レジローラ対２８に案内するプレート３１と、原稿用紙を予め定める搬送路に沿って移動するように案内するガイド１２とを有している。
【００７１】
デジタル複写機３２０は、第１プラテンガラス２上に原稿用紙が載置されると原稿固定方式となる。この場合、第１キャリッジ３および第２キャリッジ４が第１プラテンガラス２に沿って移動することで原稿用紙の画像を読取る。具体的には、原稿用紙に対して第１の画像読取手段の一部が走査移動することによって、原稿用紙に形成される画像を読取る。
【００７２】
また、デジタル複写機３２０は、原稿トレイ２５に原稿用紙が載置されると原稿搬送方式となる。この場合、第１キャリッジ３が第２プラテンガラス１に対向する読取待機位置に位置した状態で、原稿送り部材によって原稿用紙を第２プラテンガラス１上に搬送し、第１の画像読取手段によって原稿用紙の厚み方向一方に形成される画像を読取る。また、原稿送り部材によって原稿用紙を第３プラテンガラス上に搬送し、第２の画像読取手段によって原稿用紙の厚み方向他方に形成される画像を読取る。
【００７３】
このように第１の画像読取手段は、原稿トレイ２５に載置される原稿用紙の厚み方向一方の面に形成される画像を読取る読取手段となる。また第２の画像読取手段は、原稿トレイ２５に載置される原稿用紙の厚み方向他方の面に形成される画像を読取る読取手段となる。つまり、原稿トレイ２５に載置された原稿用紙は原稿送り部材によって搬送されることで、原稿用紙の両面に形成される画像を読取ることができる。
【００７４】
次に、画像記憶部及び画像形成部について説明する。ＣＣＤセンサ５，５１で取得された原稿用紙の画像情報（データ）は画像処理が施され、その画像処理された画像情報に基づいて、レーザスキャニングユニット（以下、ＬＳＵと称する）によってレーザ光が感光体の表面に照射されて、静電潜像が形成される。
【００７５】
感光体は、回転駆動されるドラム形状をなしており、感光体の周囲には、レーザ照射点から感光体の回転方向に向かって照射されるレーザ光によって露光された感光体表面の静電潜像をトナーにより可視像に現像する現像装置が配設されている。また、感光体の周囲には、感光体上のトナー像と記録用紙との位置合わせをして感光体上のトナー像を記録用紙に転写する転写チャージャ、感光体を所定の電位に帯電させる主帯電器、及び、感光体のレーザ照射点に向かってレーザ光を照射させるＬＳＵなどが設けられている。
【００７６】
記録用紙はデジタル複写機本体内の用紙トレイに収められている。用紙トレイの先端部には記録用紙を供給するためのピックアップローラが設けられている。また、画像形成部は、記録用紙の下流側方向への通過（搬送）を検知するための入紙センサスイッチ、記録用紙上のトナー像を熱により定着させる定着ローラ、プリント済の記録用紙を排出するための排紙ローラ、及び、排紙ローラ前で記録用紙が通過したことを検知する排紙検知スイッチなどを含んでいる。なお、プリント済の記録用紙は画像形成部の側面に設けられた排紙トレイに排出される。このようにしてデジタル複写機３２０は、原稿用紙に形成される画像を画像情報として読取り、その画像情報に基づいて、原稿用紙に形成される画像を記録用紙に複写することができる。
【００７７】
このようなデジタル複写機３２０においても、原稿搬送方式を適用した場合に、図１に相当する画像読取装置に相当する構成を有する。具体的には、第２プラテンガラス１に対して、対向するとともに間隔をあけて配置される原稿当接面２１４が形成される当接部材２１２を有する。また第１レジローラ対２７が、原稿用紙のうち、厚み方向他方の面が前記原稿当接面２１４に摺接した状態で、原稿用紙を搬送方向に搬送するように導く、上流側ローラ対となる。
【００７８】
同様に、第３プラテンガラス５０に対して、対向するとともに間隔をあけて配置される原稿当接面２１４が形成される当接部材２１２を有する。また第２レジローラ対２８が、原稿用紙のうち、厚み方向一方の面が前記原稿当接面２１４に摺接した状態で、原稿用紙を搬送方向に搬送するように導く、上流側ローラ対となる。
【００７９】
このように各レジローラ対２７，２８は、対応するプラテンガラス１，５０の対向位置に配置される当接部材２１２に原稿用紙の非原稿読取面を当接させる。これによって第２および第３プラテンガラス１，５０に原稿用紙２０３が接触することなく、画像読取りを行うことができ、未乾燥のインクや修正液などの付着物が原稿用紙２０３に付着する場合であっても、第２および第３プラテンガラス１，５０に、それらの付着物が付着することを防ぐことができる。これによって画像読取り異常を防いで、精度よく画像読みとを行うことができる。
【００８０】
また、デジタル複写機３２０は、原稿トレイ２５に収容される原稿用紙を、一枚ずつ連続読取り可能に形成される。本実施の形態では、このように連続読取りが行われる場合であっても、第２および第３プラテンガラスに付着物が付着することを防ぎ、高速な画像読取りの実現と、読取異常の防止とを両立させることができる。さらに光学部品群を総合した被写界深度が３ｍｍ〜７ｍｍに設定されることによって、原稿用紙に形成される画像を確実に読取ることができる。
【００８１】
図４は、本発明の実施の第２形態である原稿読取装置３２０の一部を示す断面図である。第２形態の原稿読取装置３２０は、第１形態の原稿読取装置２０と類似した構成を示す。第２形態の原稿読取装置３２０の構成のうち、第１形態の原稿読取装置２０と同様の構成については、説明を省略して、同様の参照符号を付する。
【００８２】
第２形態の原稿読取装置３２０は、搬送方向上流側に配置される上流側ローラ対２０６，２０７の外周部の硬度が異なる。具体的には、上流側ローラ対２０６，２０７のうち、原稿当接面寄りのローラ２０７よりも、前記原稿読取面寄りのローラ２０６のほうが、外周部の硬度が低く設定される。たとえば原稿当接面寄りのローラ２０７が金属によって形成され、原稿読取面寄りのローラ２０６がＥＰＤＭなどの樹脂ゴムによって実現される。そして原稿読取面寄りのローラ２０６が、原稿当接面寄りのローラ２０７に当接して変形した状態で回転可能に支持される。たとえば原稿読取面寄りのローラ２０６の外周部の硬度は、日本工業規格（ＪＩＳＫ６２５３）に規定される硬度試験において、５０〜７０度に設定される。
【００８３】
これによって上流側ローラ対を通過した原稿用紙は、原稿当接面２１４に対して傾斜して延び、原稿当接面に向けて進む。すなわち上流側ローラ対のニップ部２１６を通過した原稿用紙について、原稿当接面２１４に対する角度が所定の傾斜角度となる。このように上流側ローラ対２０６，２０７の硬度を異ならせることによっても、原稿用紙を原稿当接面２１４に当接させた状態で、プラテンガラス２２０を通過させることができ、第１実施形態と同様の効果を得ることができる。
【００８４】
図５は、第２形態の変形例を示す図である。プラテンガラス２２０よりも搬送方向下流側に設けられる下流側ローラ対２１７，２１８についても、互いの硬度を異ならせてもよい。たとえば、原稿当接面寄りのローラ２１８よりも、前記原稿読取面寄りのローラ２１７のほうが、外周部の硬度が高く設定される。これによって上流側ローラ対２０６，２０７によって、原稿用紙に巻き癖がついたとしても、下流側ローラ２１７，２１８によって原稿用紙の巻き癖を解消することができる。
【００８５】
図６は、本発明の実施の第３形態である原稿読取装置４２０の一部を示す断面図である。第３形態の原稿読取装置４２０は、第１形態の原稿読取装置２０と類似した構成を示す。第３形態の原稿読取装置４２０の構成のうち、第１形態の原稿読取装置２０と同様の構成については、説明を省略して、同様の参照符号を付する。
【００８６】
第３形態の原稿読取装置４２０は、上流側ローラ２０６，２０７の外周部の周速度が異なる。具体的には、上流側ローラ対２０６，２０７のうち、原稿当接面寄りのローラ２０７よりも、原稿読取面寄りのローラ２０６のほうが、周速度が高く設定される。たとえば原稿当接面寄りのローラ２０７の周速度は、原稿読取面寄りのローラ２０６の周速度の１．０１倍に設定される。
【００８７】
たとえば各ローラ２０６，２０７が同形状に形成される場合、原稿読取面寄りのローラ２０６のほうが原稿当接面寄りのローラ２０７に比べて、回転速度が高い。または各ローラ２０６，２０７の回転速度が等しく形成される場合には、原稿読取面寄りのローラ２０６のほうが、原稿当接面寄りのローラ２０７よりも大きく形成される。
【００８８】
これによって上流側ローラ対２０６，２０７を通過した原稿用紙は、原稿当接面２１４に対して傾斜して延び、原稿当接面２１４に向けて進む。したがって、上流側ローラ対２０６，２０７のニップ部１６を通過した原稿用紙について、原稿当接面２１４に対する角度が所定の傾斜角度となる。このように上流側ローラ２０６，２０７の外周部の周速度を異ならせることによっても、原稿用紙を原稿当接面２１４に当接させた状態で、原稿用紙をプラテンガラス２２０から通過させることができ、第１実施形態と同様の効果を得ることができる。また図５に示す場合と同様に、下流側ローラ対２１７，２１８について周速度を異ならせることで、搬送方向上流側で生じた巻き癖を解消してもよい。
【００８９】
以上のような各実施の形態の原稿読取装置は、本発明の実施の例示を示し、発明の範囲内において構成を変更することができる。たとえば、原稿読取装置がコピー機などのデジタル複写機に用いられる例について説明したが、原稿用紙を搬送して画像を読取る装置について適用することができる。したがって、スキャナ装置およびファクシミリ装置などに本発明の原稿読取装置が用いられてもよい。
【００９０】
またプラテンガラス２２０に対して、光源およびＣＣＤセンサが別体である場合について説明したがこれに限らない。たとえば画像読取手段が移動可能に構成されていなくても適用することができるので、イメージセンサを有するファクシミリ装置などにも、同様に適用することができる。また、本実施の形態では原稿読取装置２３０は、両面画像読取可能としたが、片面画像のみを読取る原稿読取装置であっても、適用可能である。
【図面の簡単な説明】
【００９１】
【図１】本発明の実施の第１形態である原稿読取装置２０の一部を示す断面図である。
【図２】ローラ対２０６，２０７；２１７，２１８と当接部材２１２との位置関係を示す図である。
【図３】本実施の形態の原稿読取装置２０を備えるデジタル複写機３２０を示す断面図である。
【図４】本発明の実施の第２形態である原稿読取装置３２０の一部を示す断面図である。
【図５】第２形態の変形例を示す図である。
【図６】本発明の実施の第３形態である原稿読取装置４２０の一部を示す断面図である。
【図７】従来技術の原稿読取装置１０１の一部を示す断面図である。
【図８】他の従来の技術の原稿読取装置１１１の一部を示す断面図である。
【符号の説明】
【００９２】
２０  画像読取装置
２０１  画像読取手段
２０２  搬送手段
２０３  原稿用紙
２０４，２０５  画像形成面
２０６，２０７  上流側ローラ
２１０  搬送路
２１６  ニップ部
２１７，２１８  下流側ローラ
２１２  当接部材
２１３  原稿読取面
２１４  原稿当接面
２２０  プラテンガラス
【図１】
2006115294.tif 000003
【図２】
2006115294.tif 000004
【図３】
2006115294.tif 000005
【図４】
2006115294.tif 000006
【図５】
2006115294.tif 000007
【図６】
2006115294.tif 000008
【図７】
2006115294.tif 000009
【図８】
2006115294.tif 000010